(57)【要約】【課題】応答灯不点灯、押圧作動不全の押釦を容易に検出でき、早期に復旧作業を実施できるエレベーターの押釦故障検出装置を得る。【解決手段】押釦１の応答灯８が不点灯である場合に乗客が押釦を連続して繰り返し押圧するので、このときの繰り返し押圧回数が所定の短時間において短時間所定回数を超えたときに応答灯故障検出装置１１が作動して押釦１の応答灯８の故障を検出する。また、押釦作動不全検出装置１２が記憶した所定の長時間における特定の押釦１の押圧回数が長時間所定回数に対して過少であるときに押釦作動不全検出装置１２が動作して、特定押釦１の作動不全を検出する。これにより、応答灯８の故障、押釦１の作動不全を容易、かつ早期に知ることができ、少ない手数によってエレベーター運転の正常状態に復帰できる。【選択図】        図１
2005029301.tif 000002
【特許請求の範囲】
【請求項１】
エレベーターの操作器に設けられ押圧されて作動すると共に応答灯が点灯する複数の押釦、時限装置及び上記押釦のそれぞれに対して押圧された特定押釦の押圧回数をそれぞれ記録する押圧回数記録装置が設けられて上記特定押釦の押圧回数が上記時限装置における所定の短時間において短時間所定回数を超えたときに作動して上記特定押釦の応答灯故障を検出する応答灯故障検出装置と、時限装置及び上記押釦のそれぞれに対して押圧された特定押釦の押圧回数をそれぞれ記録する押圧回数記録装置が設けられて上記特定押釦の押圧回数が上記時限装置における所定の長時間において長時間所定回数に対して過少であるときに作動して上記特定押釦の作動不全を検出する押釦作動不全検出装置とを備えたエレベーターの押釦故障検出装置。
【発明の詳細な説明】
【０００１】
【発明の属する技術分野】
この発明は、エレベーターのかご操作盤、乗場釦、すなわちエレベーターの操作器に設けられた行き先階釦等であって、運転信号を発生する押釦に係わるエレベーターの押釦故障検出装置に関する。
【０００２】
【従来の技術】
従来のエレベーターの押釦故障検出装置に準ずる乗場押釦装置として、特定の乗場押釦が操作された回数を累積積算して、累積積算回数が多い場合に乗場押釦の寿命を予測して効果的に取り替え作業計画を立てるように構成されたものがある。（例えば、特許文献１参照）
【０００３】
【特許文献１】
特開平６−３４５３４０号公報（第２頁、図１）
【０００４】
【発明が解決しようとする課題】
上記のような従来の乗場押釦装置において、押圧作動回数が多い押釦に対して予測した押釦の寿命に基づいてその押釦の効果的な取り替え作業が立案される。しかし、特定の押釦における応答灯不点灯、押圧作動不全の発生時にこれらの異常発生を検出する機能がない。このため、押釦の異常発生に対する対策が遅れてエレベーターの正常運転が阻害される。また、異常を生した押釦を探し当てるためにエレベーターの全ての押釦を人為操作することになり、煩雑な手数が掛かるという問題点があった。
【０００５】
この発明は、かかる問題点を解消するためになされたものであり、応答灯不点灯、押圧作動不全の押釦を容易に検出することができるエレベーターの押釦故障検出装置を得ることを目的とする。
【０００６】
【課題を解決するための手段】
この発明に係るエレベーターの押釦故障検出装置においては、エレベーターの操作器に設けられ押圧されて作動すると共に応答灯が点灯する複数の押釦、時限装置及び押釦のそれぞれに対して押圧された特定押釦の押圧回数をそれぞれ記録する押圧回数記録装置が設けられて特定押釦の押圧回数が時限装置における所定の短時間において短時間所定回数を超えたときに作動して特定押釦の応答灯故障を検出する応答灯故障検出装置と、時限装置及び押釦のそれぞれに対して押圧された特定押釦の押圧回数をそれぞれ記録する押圧回数記録装置が設けられて特定押釦の押圧回数が時限装置における所定の長時間において長時間所定回数に対して過少であるときに作動して特定押釦の作動不全を検出する押釦作動不全検出装置とが設けられる。
【０００７】
【発明の実施の形態】
実施の形態１．
図１〜図５は、この発明の実施の形態の一例を示す図で、図１はエレベーターの要部電気回路図、図２は図１の電気回路に関わる押釦の管理リスト、図３は図１のエレベーターの他の要部電気回路図、図４は図３の電気回路に関わる押釦の管理リスト、図５は図３の電気回路における動作を説明するフローチャートである。
【０００８】
エレベーターのかご操作盤には複数の行き先階釦からなる押釦が設けられ、またエレベーターのそれぞれの乗場には上昇釦及び下降釦からなる押釦が設けられる。そして図１において、電源＋−の間に前述の押釦の一つである例えば５階行き先階釦からなる押釦１が設けられ、また押釦１に接続した呼び検出リレー２、常閉接点３が設けられる。
【０００９】
また、電源＋−の間に呼び検出リレー２の常開接点２ａ、常開接点２ａに接続した上昇運転リレー４、常閉接点５が設けられ、また電源＋に接続された上昇運転リレー４の常開接点４ａが常開接点２ａと上昇運転リレー４の間に接続される。そして、電源＋−の間に呼びリレーの常開接点６ａ、呼びリレー６、上昇運転リレー４の常開接点４ｂ及び常閉接点７が設けられると共に、電源＋に接続された呼び検出リレー２の常開接点２ｂが常開接点６ａと呼びリレー６の間に接続される。
【００１０】
そして、電源＋−の間に呼びリレー６の常開接点６ｂ、応答灯８が設けられる。また、電源＋−の間に呼びリレー６の常開接点６ｃ、時限リレー９が設けられる。なお、時限リレー９の時限は２秒程度に設定される。そして、電源＋−の間に呼びリレー６の常開接点６ｄ、時限リレー９の常開接点９ａ、応答灯故障検出リレー１０が設けられる。
【００１１】
さらに、電源＋−の間に応答灯故障検出リレー１０の常開接点１０ａ、応答灯故障検出装置１１が設けられる。なお、応答灯故障検出装置１１は押圧回数記録装置及び時限装置を備え、押釦１の押圧回数が所定の短時間において短時間所定回数を超えたときに作動して押釦１の応答灯８の故障を検出する。
【００１２】
また図２において、一階乗場の上昇釦の故障信号Ｆ１ＵＰ、二階乗場の上昇釦の故障信号Ｆ２ＵＰ、三階乗場の上昇釦の故障信号Ｆ３ＵＰ、四階乗場の上昇釦の故障信号Ｆ４ＵＰ、二階乗場の下降釦の故障信号Ｆ２ＤＮ、三階乗場の下降釦の故障信号Ｆ３ＤＮ、四階乗場の下降釦の故障信号Ｆ４ＤＮ、五階乗場の下降釦の故障信号Ｆ５ＤＮ、かご操作盤の行き先一階釦の故障信号Ｆ１Ｃ、かご操作盤の行き先二階釦の故障信号Ｆ２Ｃ、かご操作盤の行き先三階釦の故障信号Ｆ３Ｃ、かご操作盤の行き先四階釦の故障信号Ｆ４Ｃ及びかご操作盤の行き先五階釦の故障信号Ｆ５Ｃそれぞれの発生回数が表示される。
【００１３】
そして、図３において、電源＋−の間に押釦１が設けられると共に、押釦１に接続した押釦作動不全検出装置１２が設けられる。なお、押釦１は一階乗場の上昇釦、二階乗場の上昇釦、三階乗場の上昇釦、四階乗場の上昇釦、二階乗場の下降釦、三階乗場の下降釦、四階乗場の下降釦、五階乗場の下降釦、かご操作盤の行き先一階釦、かご操作盤の行き先二階釦、かご操作盤の行き先三階釦、かご操作盤の行き先四階釦及びかご操作盤の行き先五階釦のそれぞれに対応して配置される。
【００１４】
また、押釦作動不全検出装置１２は押釦１のそれぞれに対応して設けられて、押圧回数記録装置及び時限装置を備えて特定の押釦１の押圧回数が時限装置における所定の長時間において長時間所定回数に達しないときに作動して特定押釦１の作動不全を検出する。なお、所定の長時間とは例えば適宜な一日であり、また長時間所定回数とは前週における後述する前週の曜日ごとの特定押釦１の押圧実績回数である。そして、当日の特定押釦１の押圧回数が前週における当日に該当する曜日の押圧実績回数よりも極端に少ないとき、例えば０回であるときに押釦作動不全検出装置１２が動作する。
【００１５】
また、図４において、一階乗場の上昇釦の故障信号１ＵＰ、二階乗場の上昇釦の故障信号２ＵＰ、三階乗場の上昇釦の故障信号３ＵＰ、四階乗場の上昇釦の故障信号４ＵＰ、二階乗場の下降釦の故障信号２ＤＮ、三階乗場の下降釦の故障信号３ＤＮ、四階乗場の下降釦の故障信号４ＤＮ、五階乗場の下降釦の故障信号５ＤＮ、かご操作盤の行き先一階釦の故障信号１Ｃ、かご操作盤の行き先二階釦の故障信号２Ｃ、かご操作盤の行き先三階釦の故障信号３Ｃ、かご操作盤の行き先四階釦の故障信号４Ｃ及びかご操作盤の行き先五階釦の故障信号５Ｃそれぞれの押圧回数が一週間にわたって一日ごと、すなわち曜日ごとに表示される。
【００１６】
上記のように構成されたエレベーターの押釦故障検出装置において、押釦１の応答灯故障検出が次ぎに述べるように行われる。すなわち、図１の押釦１が押圧されると＋−１−２−３−−の回路によって呼び検出リレー２が付勢されて常開接点２ａ、常開接点２ｂが閉成する。そして、常開接点２ａの閉成により＋−２ａ−４−５−−の回路によって上昇運転リレー４が付勢され、常開接点４ａ、常開接点４ｂが閉成する。
【００１７】
そして、常開接点４ａの閉成により＋−４ａ−４−５−−の回路によって上昇運転リレー４が自己保持される。また、常開接点２ｂが閉成しているので常開接点４ｂの閉成により＋−２ｂ−６−４ｂ−７−−の回路によって呼びリレー６が付勢されて常開接点６ａ、常開接点６ｂ、常開接点６ｃ、常開接点６ｄが閉成する。そして、常開接点６ａの閉成により＋−６ａ−６−４ｂ−７−−の回路によって呼びリレー６が自己保持される。
【００１８】
また、常開接点６ｂの閉成により＋−６ｂ−８−−の回路によって応答灯８が付勢されて点灯する。そして、常開接点６ｃの閉成により＋−６ｃ−９−−の回路によって時限リレー９が付勢されて常開接点９ａが閉成する。そして、常開接点６ｄが閉成しているので、常開接点９ａの閉成により＋−６ｄ−９ａ−１０−−の回路によって応答灯故障検出リレー１０が付勢され常開接点１０ａが閉成する。
【００１９】
そして、常開接点１０ａの閉成により＋−１０ａ−１１−−の回路によって応答灯故障検出装置１１が付勢される。以上説明した図１の電気回路において押釦１の押圧によって、呼び検出リレー２、上昇運転リレー４、呼びリレー６を介して応答灯８が付勢される。しかし、応答灯８が電球切れ等であって不点灯である場合にはエレベーターの乗客によって押釦１が連続して繰り返し押圧される。
【００２０】
このときの押釦１の繰り返し押圧回数が、所定の短時間において短時間所定回数を超えたときに応答灯故障検出装置１１が作動して押釦１の応答灯８の故障を検出する。この応答灯故障検出装置１１の応答灯８故障検出がエレベーターの故障管理センターに通報される。このようにして押釦１の応答灯８の不点灯を容易、かつ早期に知ることができる。したがって、応答灯８の不点灯に対して迅速に対応することができ、少ない手数によってエレベーターの運転を正常状態に容易に復帰することができる。
【００２１】
また、上記のように構成されたエレベーターの押釦故障検出装置において、押釦作動不全検出装置１２による押釦１の作動不全の検出動作を図５に示すフローチャートによって説明する。すなわち、ステップ１０１において押釦作動不全検出装置１２の押圧回数記録を一日の０時にリセットして、ステップ１０２へ進みエレベーターが運転休止していなければステップ１０３へ進む。
【００２２】
ステップ１０３において一日の１２時を経過していなければ、押釦作動不全検出を終了し、また当日の１２時を経過していればステップ１０４へ進んで全押釦１の押圧動作を順次検定するプログラムによる装置の作動を経て、ステップ１０５へ進む。そして、ステップ１０５において特定の押釦１に対する押釦作動不全検出装置１２の押圧回数記録をチェックしてステップ１０６へ進む。
【００２３】
そして、ステップ１０６において検定した特定押釦１に対応した図４における特定押釦１の押圧回数記録の平均値が２０よりも多ければステップ１０７へ進み、また押圧回数記録の平均値が２０よりも少なければステップ１０８へ進む。
【００２４】
そして、ステップ１０７において一日の押圧回数記録数が０でなければステップ１０４へ戻って次の押釦１の押圧動作検定に入り、また一日の押圧回数記録数が０であればステップ１０９へ進む。また、ステップ１０８において一日の押圧回数記録数が０でなければステップ１０４へ戻って次の押釦１の押圧動作検定に入り、また一日の押圧回数記録数が０であればステップ１１０へ進む。
【００２５】
そして、ステップ１１０において前週の同曜日の押圧回数記録数が０でなければステップ１０４へ戻って次の押釦１の押圧動作検定に入り、また前週の同曜日の押圧回数記録数が０であればステップ１０９へ進む。そして、ステップ１０９において押釦作動不全検出装置１２により押釦１の作動不全が検出されると共に、ステップ１０４へ戻り次の押釦１の押圧動作検定に入る。
【００２６】
また、ステップ１０９においてステップ１１１へ進んで本日に検出された作動不全押釦１の通報を行っていればステップ１０４へ戻って次の押釦１の押圧動作検定に入る。また、ステップ１１１において本日に検出された作動不全押釦１の通報を行っていなければステップ１１２へ進み、検出された作動不全押釦１の情報をエレベーターの故障管理センターに通報する。
【００２７】
以上説明したように、押釦作動不全検出装置１２に記憶された特定の押釦１の前週の同曜日の一日の押圧実績回数に対して、この特定押釦１における本日の検出押圧回数が極端に少ないときに押釦作動不全検出装置１２が動作して、特定押釦１の作動不全が検出される。これによって、押釦１の作動不全を容易、かつ早期に知ることができる。したがって、押釦１の作動不全に対して迅速に対応することができ、少ない手数によってエレベーターの運転を正常状態に復帰することができる。
【００２８】
【発明の効果】
この発明は以上説明したように、エレベーターの操作器に設けられ押圧されて作動すると共に応答灯が点灯する複数の押釦、時限装置及び押釦のそれぞれに対して押圧された特定押釦の押圧回数をそれぞれ記録する押圧回数記録装置が設けられて特定押釦の押圧回数が時限装置における所定の短時間において短時間所定回数を超えたときに作動して特定押釦の応答灯故障を検出する応答灯故障検出装置と、時限装置及び押釦のそれぞれに対して押圧された特定押釦の押圧回数をそれぞれ記録する押圧回数記録装置が設けられて特定押釦の押圧回数が時限装置における所定の長時間において長時間所定回数に対して過少であるときに作動して特定押釦の作動不全を検出する押釦作動不全検出装置とを設けたものである。
【００２９】
これによって、押釦の応答灯が電球切れ等であって不点灯である場合にはエレベーターの乗客によって押釦が連続して繰り返し押圧される。このため、応答灯不点灯時の押釦の繰り返し押圧回数が、所定の短時間において短時間所定回数を超えたときに応答灯故障検出装置が作動して押釦の応答灯の故障を検出する。また、押釦作動不全検出装置に記憶された所定の長時間における特定の押釦の押圧回数が長時間所定回数に対して過少であるときに押釦作動不全検出装置が動作して、特定押釦の作動不全を検出する。これによって、押釦の応答灯の故障、押釦の作動不全を容易、かつ早期に知ることができる。したがって、押釦の故障に対して迅速に対応することができ、少ない手数によってエレベーターの運転を正常状態に復帰できて押釦故障時の復旧作業を容易化する効果がある。
【図面の簡単な説明】
【図１】この発明の実施の形態１を示す図で、エレベーターの要部電気回路図。
【図２】図１の電気回路に関わる押釦の管理リスト。
【図３】図１のエレベーターの他の要部電気回路図。
【図４】図３の電気回路に関わる押釦の管理リスト。
【図５】図３の電気回路における動作を説明するフローチャート。
【符号の説明】
１  押釦、８  応答灯、１１  応答灯故障検出装置、１２  押釦作動不全検出装置。
【図１】
2005029301.tif 000003
【図２】
2005029301.tif 000004
【図３】
2005029301.tif 000005
【図４】
2005029301.tif 000006
【図５】
2005029301.tif 000007